(57)【要約】      （修正有）【課題】設置物の背面を壁面に対向させて取り付ける場合に、取り付けが容易で、かつ、見栄え良く壁面取付金具を隠して取り付けるのに適する壁面取付金具およびそれを含む設置物を提供する。【解決手段】壁面取付金具であるブラケット１０は、設置物の筐体であるスピーカーシステム１の背面を壁面に対向させて取り付ける。Ｘ−Ｚ平面に壁面４が形成され、Ｚ方向は重力が作用する鉛直方向であり、Ｙ方向は壁面４に垂直な水平方向である。筐体の背面に螺合して突出する第１ネジの軸部が通過する第１円孔と、壁面に螺合して突出する第２ネジの軸部が通過する第２円孔と、を有する基体を備え、基体の一部および第２ネジの頭部が筐体の背後に隠れずに露出する設置物の壁面取付作業中（ａ）では筐体に当接せずに、基体の全部および第２ネジの頭部が筐体の背後に隠れて露出しない壁面取付作業後（ｂ）では筐体の係止部に当接して設置物を係止する係止部を有する。【選択図】図１
2017017235.tif 000002
【特許請求の範囲】
【請求項１】
設置物の筐体の背面を壁面に対向させて取り付ける壁面取付具であって、
該筐体の該背面に螺合して突出する第１ネジの軸部が通過する第１円孔と、該壁面に螺合して突出する第２ネジの軸部が通過する第２円孔と、を有する基体を備え、
該基体が、該基体の一部および該第２ネジの頭部が該筐体の背後に隠れずに露出する該設置物の壁面取付作業時には該筐体に当接せずに、該基体の全部および該第２ネジの頭部が該筐体の背後に隠れて露出しない壁面取付作業後には該筐体の係止部に当接して該設置物を係止する係止部を有する、
壁面取付具。
【請求項２】
前記壁面取付具の前記係止部が、前記壁面取付作業時に前記設置物を前記壁面に対して所定の姿勢をほぼ変えないように該壁面取付具とともに前記第２円孔を通過する前記第２ネジを中心軸として回動させる場合に、該設置物の前記係止部に当接して該設置物の回動を抑制する所定の位置に設けられている、
請求項１に記載の壁面取付具。
【請求項３】
前記壁面取付具の前記基体が、前記第１円孔が形成される第１平面部と、該第１平面部と略平行で前記第２円孔が形成される第２平面部と、該第１平面部と該第２平面部とを連結する連結部と、を有し、該第１平面部と該第２平面部とが規定する空間の中に該連結部および前記係止部が設けられる、
請求項１または２に記載の壁面取付具。
【請求項４】
前記第１平面部が、前記筐体の前記背面に螺合して突出する第３ネジの軸部が通過する第３円孔をさらに有する、
請求項３に記載の壁面取付具。
【請求項５】
前記第１円孔および／または前記第２円孔が、前記第１ネジおよび／または前記第２ネジの前記頭部が通過するダルマ孔の一部として形成されている、
請求項１から４のいずれかに記載の壁面取付具。
【請求項６】
請求項１から５のいずれかに記載の前記壁面取付具と、前記係止部を前記背面に有する前記筐体と、該筐体の該背面に螺合して突出して前記軸部が該壁面取付具の前記第１円孔を通過する前記第１ネジと、
を備える設置物。
【請求項７】
前記壁面取付具が前記設置物の背後に隠れて露出しない前記壁面取付作業後に、前記筐体の左右方向のほぼ中心位置に前記第２ネジが位置するように、前記第１ネジが該筐体の前記背面の所定位置に螺合して突出する、
請求項６に記載の設置物。
【発明の詳細な説明】
【技術分野】
【０００１】
本発明は、設置物の壁面取付具およびそれを含む設置物に関し、特に、スピーカーのような設置物の背面を壁面に対向させて取り付ける場合に、取り付けが容易で、かつ、見栄え良く壁面取付具を隠して取り付けるのに適する壁面取付具およびそれを含む設置物に関する。
【背景技術】
【０００２】
スピーカーのようなある程度の重量を有する設置物を壁面に取り付ける場合には、ブラケット等の壁面への取付具をその設置物の背面等に取り付けて、スピーカーシステムを壁面に対して固定する場合がある。壁面に取り付けることを想定するようなスピーカーシステムでは、そのキャビネットの背面にネジが螺合するネジ孔を設け、ブラケットを連結する連結部を備えている場合がある。
【０００３】
ただし、簡略化した壁面取付機構としては、壁面に取り付けるブラケットの代わりにその頭部が突出するように壁面に螺合させるネジを用い、スピーカーキャビネットの背面にネジの頭部ならびに軸部が係合する鍵穴状の孔を設けて、スピーカーシステムの背面を壁面に密着させて取り付ける場合がある。例えば、従来には、平面を有する部材に頭部と軸部とが露出して取り付けられたネジに物を引っかけるフック装置であって、軟質な材料で構成され、該部材の平面と該ネジの頭部の間隔より厚い板と、該板に設けられた大穴と、さらに該大穴に連続してこれと一部が重なるような位置に設けられた小穴と、少なくとも該小穴の周辺に設けられた傾斜面とを備え、該小穴と上記ネジの軸部とが嵌合されるようにしたことを特徴とするフック装置がある（特許文献１）。
【０００４】
また、従来には、壁面に背面を密着させて取り付ける壁面取付機構を備えるスピーカーキャビネットであって、壁面取付機構が、壁面に螺合して突出するネジのネジ頭部が通過する円孔と、円孔に連通してネジの軸部が通過する第１長孔および第２長孔と、円孔および第１長孔および第２長孔を含む取付面と、を有し、スピーカーキャビネットの縦配置に対応する第１長孔と、横配置に対応する第２長孔と、が略直交するように設けられるとともに、第１長孔を規定する取付面の第１長孔縁部と、第２長孔を規定する取付面の第２長孔縁部と、がそれぞれ、背面との離隔距離Ｄ１ないしＤ２を縦配置ないし横配置におけるスピーカーキャビネットの底面側よりも天面側で大きくするように傾斜するとともに、背面との離隔距離Ｄ０を第１長孔が延びる第１方向および第２長孔が延びる第２方向の中間方向に沿って変化するように傾斜して背面から窪んだ凹部を形成する取付面に形成されている、スピーカーキャビネットがある（特許文献２）。
【０００５】
また、従来には、壁面の係止具に係止される係止孔と設置物に対して取り付けられる軸孔とを備えた平板状の具本体、この具本体を、前記設置物に設けられた凹部前記係止孔を合致させた状態で設置物に取り付け可能にすると共に、前記係止孔が前記設置物の外部に位置するように前記具本体を回動可能に形成するための軸支部材を前記軸孔に対応して設けられたことを特徴とする設置物の壁掛具がある（特許文献３）。
【０００６】
しかしながら、従来技術では、壁面への取付具が設置物の背面側に隠れてしまうような場合には、作業後の見栄えが良いという利点がある一方で、取り付け作業の際に壁面側のネジの位置などが正面側からの作業者から見えなくて、実際の作業が非常に難しいという問題がある。また、壁面への取付具が設置物の背面側に隠れないような場合には、取り付け作業の際に壁面側のネジの位置などが正面側からの作業者から見えるので、実際の作業が容易になるという利点がある一方で、壁面への取付具等が露出してしまうことになるので、作業後の見栄えが悪いという問題がある。また、壁面への取付具を構成するネジのネジ頭が取付具から外れやすいと、設置物への接触、あるいは、地震による揺れなどで設置物が落下する恐れがある。
【先行技術文献】
【特許文献】
【０００７】
【特許文献１】実開昭５９−４６７３号公報
【特許文献２】特許第５３６９８４４号公報
【特許文献３】実公平３−４６５２３号公報
【発明の概要】
【発明が解決しようとする課題】
【０００８】
本発明は、上記の従来技術が有する問題を解決するためになされたものであり、その目的は、設置物の背面を壁面に対向させて取り付ける場合に、取り付けが容易で、かつ、見栄え良く壁面取付具を隠して取り付けるのに適する壁面取付具およびそれを含む設置物を提供することにある。
【課題を解決するための手段】
【０００９】
本発明の壁面取付具は、設置物の筐体の背面を壁面に対向させて取り付ける壁面取付具であって、筐体の背面に螺合して突出する第１ネジの軸部が通過する第１円孔と、壁面に螺合して突出する第２ネジの軸部が通過する第２円孔と、を有する基体を備え、基体が、基体の一部および第２ネジの頭部が筐体の背後に隠れずに露出する設置物の壁面取付作業中には筐体に当接せずに、基体の全部および第２ネジの頭部が筐体の背後に隠れて露出しない壁面取付作業後には筐体の係止部に当接して設置物を係止する係止部を有する。
【００１０】
好ましくは、本発明の壁面取付具の係止部は、壁面取付作業時に設置物を壁面に対して所定の姿勢をほぼ変えないように壁面取付具とともに第２円孔を通過する第２ネジを中心軸として回動させる場合に、設置物の係止部に当接して設置物の回動を抑制する所定の位置に設けられている。
【００１１】
好ましくは、本発明の壁面取付具は、第１円孔が形成される第１平面部と、第１平面部と略平行で第２円孔が形成される第２平面部と、第１平面部と第２平面部とを連結する連結部と、を有し、第１平面部と第２平面部とが規定する空間の中に連結部および係止部が設けられる。
【００１２】
好ましくは、本発明の壁面取付具は、第１平面部が、筐体の背面に螺合して突出する第３ネジの軸部が通過する第３円孔をさらに有し、また、第２平面部が、第２ネジの頭部が通過するダルマ孔をさらに有する。
【００１３】
また、好ましくは、本発明の壁面取付具は、第１円孔および／または第２円孔が、第１ネジおよび／または第２ネジの頭部が通過するダルマ孔の一部として形成されている。
【００１４】
また、本発明の設置物は、上記の壁面取付具と、係止部を背面に有する筐体と、筐体の背面に螺合して突出して軸部が壁面取付具の第１円孔を通過する第１ネジと、を備える。
【００１５】
また、本発明の設置物は、壁面取付具が設置物の背後に隠れて露出しない壁面取付作業後に、筐体の左右方向のほぼ中心位置に第２ネジが位置するように、第１ネジが筐体の背面の所定位置に螺合して突出する。
【００１６】
以下、本発明の作用について説明する。
【００１７】
本発明の壁面取付具は、スピーカーのような設置物の筐体（キャビネット）の背面を壁面に接するように対向させて取り付ける壁面取付具である。また、本発明の設置物は、この壁面取付具と、係止部を背面に有する筐体と、を備える。壁面取付具の基体は、筐体の背面に螺合して突出する第１ネジの軸部が通過する第１円孔と、壁面に螺合して突出する第２ネジの軸部が通過する第２円孔と、を有する。さらに、壁面取付具は、基体の一部および第２ネジの頭部が筐体の背後に隠れずに露出する設置物の壁面取付作業中には筐体に当接せずに、基体の全部および第２ネジの頭部が筐体の背後に隠れて露出しない壁面取付作業後には筐体の係止部に当接して設置物を係止する係止部を有する。
【００１８】
つまり、壁面取付具の係止部は、設置物の壁面取付作業中には筐体に当接せずに、壁面取付作業後には筐体の背面側の係止部に当接して設置物を係止する。したがって、設置物の背面を壁面に対向させて取り付ける場合に、取付作業中には壁面取付具の基体の一部および第２ネジの頭部が筐体の背後に隠れずに露出するので、取り付けが容易になり、また、壁面取付作業後には壁面取付具の全部および第２ネジの頭部が筐体の背後に隠れて露出しないので、見栄え良く設置物を壁面に取り付けることができる。
【００１９】
具体的には、壁面取付具の係止部は、壁面取付作業時に設置物を壁面に対して所定の姿勢をほぼ変えないように壁面取付具とともに第２円孔を通過する第２ネジを中心軸として回動させる場合に、設置物の係止部に当接して設置物の回動を抑制する所定の位置に設けられている。つまり、壁面取付具の係止部は、第２円孔を通過する第２ネジを回動の中心軸として壁面取付具を回動させる場合に設置物の係止部に当接する位置であって、設置物が所定の角度の姿勢で壁面に取り付けられる位置に設けられている。したがって、設置物の背面を壁面に対向させて取り付ける場合に、作業者は、設置物および壁面取付具を第１ネジ及び第２ネジで壁に取り付けた後に、所定の姿勢をほぼ変えないように設置物を持ち上げて露出している第２ネジを中心軸にしてぐるりと回すようにすれば、一部が露出していた壁面取付具が第２ネジとともに全て筐体の背後に隠れるようになり、壁面取付具の係止部が、筐体の係止部に当接して設置物を係止するので、設置物を所定の角度の姿勢で壁面に取り付けることができる。また、壁面への取付具を構成するネジのネジ頭が取付具から外れにくいので、設置物への接触、あるいは、地震による揺れなどで設置物が落下する恐れが少なくなる。
【００２０】
壁面取付具は、第１円孔が形成される第１平面部と、第１平面部と略平行で第２円孔が形成される第２平面部と、第１平面部と第２平面部とを連結する連結部と、を有するような形状が好ましい。壁面取付具は、第１平面部と第２平面部とが規定する空間の中に連結部および係止部が設けられていればよく、この空間に第１ネジの頭部並びに第２ネジの頭部を収めることができる。したがって、第１ネジまたは第２ネジの頭部と干渉することなく、第２ネジを中心軸にして設置物および壁面取付具を、壁面取付具の係止部と設置物の係止部とが係止するまで回動させることができる。
【００２１】
また、壁面取付具は、第１平面部が、筐体の背面に螺合して突出する第３ネジの軸部が通過する第３円孔をさらに有していてもよく、第２平面部が、第２ネジの頭部が通過するダルマ孔をさらに有していてもよい。この場合には、壁面取付具は、第１ネジと第３ネジとの２点で取り付けられているので、壁面に螺合する第２ネジを中心軸にして回動させるのに適さないが、設置物の筐体の背面に隠れるように使う従来の固定方法の壁面取付具としても使用できる利点がある。
【００２２】
また、壁面取付具は、第１円孔および／または第２円孔を、第１ネジおよび／または第２ネジの頭部が通過するダルマ孔の一部として形成してもよい。第１円孔および／または第２円孔をダルマ孔にすれば、設置物の背面に螺合する第１ネジ、あるいは、壁面に螺合する第２ネジに対して、壁面取付具を着脱しやすくなり、壁面取付作業が容易になる利点がある。
【００２３】
また、設置物が、上記の壁面取付具と、係止部を背面に有する筐体と、筐体の背面に螺合して突出して軸部が壁面取付具の第１円孔を通過する第１ネジと、を備えていてもよい。壁面取付具が設置物の背後に隠れて露出しない壁面取付作業後に、筐体の左右方向のほぼ中心位置に第２ネジが位置するように、第１ネジが筐体の背面の所定位置に螺合して突出するようにすればよい。壁面取付具および第２ネジが、設置物の重心に近い筐体の左右方向のほぼ中心位置を支えるので、設置物を左右方向に傾かないように壁面に取り付けることができる。
【発明の効果】
【００２４】
本発明の壁面取付具は、設置物の背面を壁面に対向させて取り付ける場合に、取り付けが容易で、かつ、見栄え良く壁面取付具を隠して取り付けることができる。
【図面の簡単な説明】
【００２５】
【図１】本発明の好ましい実施形態による壁掛けスピーカーシステム１およびブラケット１０について説明する図である。（実施例１）
【図２】本発明のブラケット１０の動作について説明する図である。（実施例１）
【図３】本発明のブラケット１０について説明する図である。（実施例１）
【図４】本発明の他のブラケット１０について説明する図である。（実施例２）
【図５】本発明の他のブラケット１０について説明する図である。（実施例３）
【発明を実施するための形態】
【００２６】
以下、本発明の好ましい実施形態による壁面取付具およびそれを含む設置物について説明するが、本発明はこれらの実施形態には限定されない。
【実施例１】
【００２７】
図１は、本発明の設置物として好ましい実施形態によるスピーカーシステム１について説明する図である。具体的には、図１は、壁面取付具であるブラケット１０を用いて壁面４に取り付けられるスピーカーシステム１の斜視図であって、ブラケット１０の相対的な位置を示す略図を併記している。この略図において、図示するＸ−Ｚ平面に壁面４が形成されており、Ｚ方向は重力が作用する鉛直方向であり、Ｙ方向は壁面４に垂直な水平方向である。なお、図１において、説明に不要なスピーカーシステム１の構成の一部は、図示を省略している。
【００２８】
本実施例のスピーカーシステム１は、（図示しない）スピーカーユニット２と、スピーカーユニット２を取り付けるキャビネット３と、から構成される。（図示しない）スピーカーユニット２は、キャビネット３の前面３ｆに取り付けられ、音声信号電流が供給されるとスピーカー振動板が前後方向に振動することにより音波を放射する。本実施例では、スピーカーユニット２の図示は省略されており、高音域再生用のツィーターが取り付けられる円孔２ａと、中低音域再生用のウーファーが取り付けられる円孔２ｂと、がキャビネット３に設けられている様子を図示している。略直方体状のキャビネット３は、スピーカー振動板の前後空間を分離させるとともに、その内部に音響容量を規定する。例えば、木質材料、あるいは、樹脂で形成されるキャビネット３は、前面３ｆを含む前部と、背面３ｒを含む後部とを連結して構成される。
【００２９】
また、図１（ａ）はスピーカーシステム１を壁面に取り付ける作業中の状態を示す図であり、図１（ｂ）は、壁面に取り付けた作業後の状態を示す図である。キャビネット３は、その平面状の背面３ｒを垂直で平面状の壁面４に対向させて、ブラケット１０と、（図１では図示しない）ネジ５と、ネジ６とを使って取り付けられる。図１（ａ）に示すように、取り付けの作業中には、ブラケット１０の一部およびネジ６の頭部がキャビネット３の背後に隠れずに露出しているが、図１（ｂ）に示すように、取り付けの作業後には、ブラケット１０の全部およびネジ６の頭部がキャビネット３の背後に隠れて露出しなくなる。
【００３０】
図２は、スピーカーシステム１を壁面４に取り付ける作業におけるブラケット１０の動作について説明する図である。具体的には、図２（ａ）〜図２（ｄ）は、それぞれ壁面４を透過してスピーカーシステム１のキャビネット３の背面３ｒの側を見た部分斜視図であって、図２（ａ）〜図２（ｃ）が取り付けの作業中の状態を順番に示し、図２（ｄ）が取り付けの作業後の状態を示す。また、図３は、ブラケット１０について説明する図であって、図２（ｄ）の状態の拡大斜視図である。
【００３１】
ブラケット１０は、金属板をプレス加工により切断して折り曲げ加工した部材である。ブラケット１０は、キャビネット３の背面３ｒに螺合するネジ５の軸部が挿通される円孔が形成される平面部１１と、平面部１１と略平行で壁面４に螺合するネジ６の軸部が挿通される円孔が形成される平面部１２と、平面部１１と平面部１２とを連結する連結部１３と、を有する。また、係止部１４は、平面部１２から延設される部分を平面部１１の側に折り曲げられて形成されている。したがって、連結部１３および係止部１４は、ほぼお互いが平行な関係にある平面部１１を含む平面と平面部１２を含む平面とが規定する空間の中に設けられている。
【００３２】
また、キャビネット３の背面３ｒは、キャビネットの天面３ｔの後端から一段奥まったところに設けられているので、キャビネット３の背面３ｒの周囲には、ブラケット１０の係止部１４が当接する係止部３ｂが形成されている。本実施例では、この係止部３ｂは、天面３ｔでの一部が切り欠かれて、後述するように回動するブラケット１０の一部が通過する切り欠き部３ｋが規定される。なお係止部３ｂは、キャビネット３の背面３ｒの天面３ｔに近いところに設ければよく、切り欠き部３ｋは必ずしも設ける必要は無い。
【００３３】
以下では、（図示しない）作業者がスピーカーシステム１をブラケット１０を用いて壁面４に取り付ける作業を、順を追って説明する。作業者は、最初にキャビネット３の背面３ｒの所定位置に、ネジ５を螺合させてブラケット１０を取り付ける。このとき、キャビネット３の背面３ｒと、壁面４とは接近させて作業する必要は無いので、作業者はブラケット１０の一方の平面部１１の円孔にネジ５の軸部を挿通させて、容易にブラケット１０を取り付けることができる。作業者は、ブラケット１０の他方の平面部１２をキャビネット３の天面３ｔから飛び出す様に持ち上げて、キャビネット３を前面視した場合に露出するようにしておく。
【００３４】
次に、作業者は、スピーカーシステム１を壁４に沿って持ち上げて所定の位置に仮に配置し、図１（ａ）または図２（ａ）に図示するように、キャビネット３の背面３ｒを壁面４に対向させて取り付ける。このとき、キャビネット３の前面３ｆ側からブラケット１０の平面部１２の円孔にネジ６の軸部を挿通させることができる状態になるので、キャビネット３とブラケット１０とを壁面４に容易に取り付けることができる。この状態では、ブラケット１０は、図１（ａ）に示すように、ネジ６が上側で、ネジ５が下側になるような角度で壁４にぶら下がることになるので、作業者はキャビネット３から手を離すことができる。また、取り付けの作業中には、図示するようにブラケット１０の一部およびネジ６の頭部がキャビネット３の背後に隠れずに露出していることなる。
【００３５】
次に、作業者は、スピーカーシステム１を、ネジ６を中心にして壁４に沿って時計回りに回動させる。つまり、図示するような所定の姿勢をほぼ変えないようにスピーカーシステム１を持ち上げるようにして、露出しているネジ６を中心軸にしてぐるりと回すようにすればよい。そうすると、図２（ｂ）および図２（ｃ）に図示するように、キャビネット３を約９０度以上回転させると、ブラケット１０およびネジ６の頭部は、キャビネット３の背後に隠れることになる。ブラケット１０およびネジ６の頭部は、キャビネット３の背面３ｒの切り欠き部３ｋを通過するので、作業者は、円滑にキャビネット３を回動させることできる。
【００３６】
さらに、作業者がスピーカーシステム１をネジ６を中心にして壁４に沿って時計回りに回動させると、図１（ｂ）および図２（ｄ）に図示するように、キャビネット３が約１３５度回動したところで、ブラケット１０の係止部１４と、キャビネット３の背後の係止部３ｂが当接するので、回動が止まることになる。この際に、ネジ５によりキャビネット３の背面３ｒに取り付けられたブラケット１０の係止部１４は、図３に図示するように、壁面４に螺合するネジ６の近くに位置して、スピーカーシステム１の左右方向の中心位置に近い位置である係止部３ｂを下から支えることになる。したがって、取り付けの作業後には、ブラケット１０の一部およびネジ６の頭部がキャビネット３の背後に隠れて露出しない状態で、スピーカーシステム１を壁面４に取り付けることができる。壁面４に螺合するネジ６は、キャビネット３の左右方向のほぼ中心位置に位置するので、スピーカーシステム１は左右方向に傾くことなく壁面４に取り付けられる。
【００３７】
ブラケット１０の係止部１４は、上記の実施例の場合に限られないが、スピーカーシステム１の壁面取付作業中にはキャビネット３に当接せずに、壁面取付作業後にはキャビネット３の背面３ｒ側のいずれかの場所に設けられる係止部３ｂに当接してキャビネット３の回動を係止するものであればよい。キャビネット３の背面３ｒを壁面４に対向させて取り付ける場合に、取付作業中にはブラケット１０の一部およびネジ６の頭部が筐体の背後に隠れずに露出するので、取り付けが容易になり、また、壁面取付作業後にはブラケット１０の全部およびネジ６の頭部がキャビネット３の背後に隠れて露出しなくなる。したがって、見栄え良くスピーカーシステム１を壁面４に取り付けることができる。
【００３８】
ブラケット１０は、平面部１１と平面部１２とが規定する空間の中に連結部１３および係止部１４が設けられて、この空間に突出するネジ５の頭部並びにネジ６の頭部を収めることができる。したがって、ネジ５または６の頭部と干渉することなく、ネジ６を中心軸にしてスピーカーシステム１およびブラケット１０を、ブラケット１０の係止部１４とキャビネット３の係止部３ｂとが係止するまで回動させることができる。また、ネジ５およびネジ６のネジ頭がブラケット１０から外れにくいので、キャビネット３への接触、あるいは、地震による揺れなどでスピーカーシステム１が落下する恐れが少なくすることができる。
【実施例２】
【００３９】
図４は、本発明の他の好ましい実施形態によるブラケット１０について説明する図である。具体的には、図４は、図３と同様に、ブラケット１０がキャビネット３の背後に隠れたスピーカーシステム１を壁面４に設置した状態の拡大斜視図である。なお、図４では、ネジ５または６の図示を省略しており、ブラケット１０の平面部１１に設けられるネジ５の軸部が挿通する円孔１５と、平面部１２に設けられるネジ６の軸部が挿通する円孔１６とが図示されている。
【００４０】
このブラケット１０は、先の実施例の場合と同様に、金属板をプレス加工により切断して折り曲げ加工した部材である。ブラケット１０は、平面部１１と平面部１２とを連結する連結部１３と、を有し、キャビネット３の背面３ｒ側に設けられる係止部３ｂに当接する係止部１４は、平面部１２とこの連結部１３とが兼ねるように形成されている。つまり、連結部１３および係止部１４は、ほぼお互いが平行な関係にある平面部１１を含む平面と平面部１２を含む平面とが規定する空間の中に設けられている。また、ブラケット１０の連結部１３の長さ寸法は、キャビネット３の背面３ｒから係止部３ｂが突出している寸法にほぼ一致する。
【００４１】
本実施例の場合には、キャビネット３を約９０度以上回転させると、ブラケット１０およびネジ６の頭部は、キャビネット３の背後に隠れることになる。キャビネット３の背面３ｒには、先の実施例のような切り欠き部３ｋが設けられていないが、ネジ５が螺合するインサートナットを設け、回動の作業に合わせてキャビネット３の背面３ｒ側にネジ５およびブラケット１０が移動するようにすれば、作業者は、ネジ６のネジ頭がキャビネット３の側面側の突出部に干渉しないようにして、円滑にキャビネット３を回動させることできる。
【００４２】
また、図４で図示を省略したネジ６を、ネジ頭の全高が低い低頭ネジ採用すれば、ネジ６のネジ頭がキャビネット３に干渉することなく、ブラケット１０の係止部１４とキャビネット３の係止部３ｂとが係止するまで約１８０度回動させることができる。壁面４に螺合するネジ６は、キャビネット３の左右方向のほぼ中心位置に位置するので、スピーカーシステム１は左右方向に傾くことなく壁面４に取り付けられる。
【００４３】
なお、ブラケット１０は、円孔１５および／または円孔１６を、ネジ５および／またはネジ６の頭部が通過するダルマ孔の一部として形成してもよい。円孔１５および／または円孔１６をダルマ孔にすれば、キャビネット３の背面３ｒに螺合するネジ５、あるいは、壁面４に螺合するネジ６に対して、ブラケット１０を着脱しやすくなり、壁面４に取り付ける作業がさらに容易になる利点がある。
【実施例３】
【００４４】
図５は、スピーカーシステム１を壁面４に取り付ける作業における本発明の他の好ましい実施形態によるブラケット１０の動作について説明する図である。具体的には、図５（ａ）および図５（ｂ）は、それぞれ壁面４を透過してスピーカーシステム１のキャビネット３の背面３ｒの側を見た部分斜視図であって、図５（ａ）が取り付けの作業中の状態を示し、図５（ｂ）が取り付けの作業後の状態を示す。
【００４５】
本実施例のブラケット１０は、先の実施例の場合と同様に、金属板をプレス加工により切断して折り曲げ加工した部材である。ブラケット１０は、平面部１１と平面部１２とを連結する連結部１３と、キャビネット３の背面３ｒ側に設けられる係止部３ｂに当接する係止部１４と、を有する点で先の実施例の場合と共通する。つまり、連結部１３および係止部１４は、ほぼお互いが平行な関係にある平面部１１を含む平面と平面部１２を含む平面とが規定する空間の中に設けられている。
【００４６】
ブラケット１０の連結部１３の長さ寸法は、キャビネット３の背面３ｒから係止部３ｂが突出している寸法よりも長く設定している。したがって、ネジ６のネジ頭がキャビネット３に干渉することなく、ブラケット１０の係止部１４とキャビネット３の係止部３ｂとが係止するまで回動させることができる。作業者は、取り付けの作業後には、ブラケット１０の一部およびネジ６の頭部がキャビネット３の背後に隠れて露出しない状態で、スピーカーシステム１を壁面４に取り付けることができる。壁面４に螺合するネジ６は、キャビネット３の左右方向のほぼ中心位置に位置するので、スピーカーシステム１は左右方向に傾くことなく壁面４に取り付けられる。
【００４７】
このブラケット１０は、平面部１１にさらにもう１本の（図示しない）ネジの軸部が通過する円孔１７を有し、平面部１２にさらにダルマ孔１８を有している点で、先の実施例とは相違する。このブラケット１０は、円孔１７およびダルマ孔１８を有しているので、上記の様に作業時に回動させるのではなく、スピーカーシステム１の背面に隠れるように使う従来の固定方法のブラケットとしても使用できる。図５（ｂ）の状態において、ブラケット１０が、（図示しない）円孔１５を挿通するネジ５と、円孔１７を挿通する（図示しない）ネジと、により２点でキャビネット３の背面３ｒに取り付けられている場合には、ブラケット１０は回動しなくなる。
【００４８】
したがって、壁面４に螺合するネジ６が、図示するようにブラケット１０の円孔１６を挿通するのではなく、ダルマ孔１８を挿通するようにすれば、ブラケット１０がキャビネット３の背面側に隠れて作業後の見栄えが良い従来の固定方法で使用できる。つまり、取り付け作業の際に壁面４側のネジ６の位置などが正面側からの作業者から見えない場合あっても、作業者が、スピーカーシステム１を壁面４に取り付ける作業が容易であり、かつ、作業後の見栄えが良いと判断するいずれか一方の方法を選んで作業でき、選択肢が増えるという利点がある。
【００４９】
なお、上記実施例のブラケット１０では、いずれも金属板をプレス加工により切断して折り曲げ加工し、異なる平面に位置する平面部１１および１２を連結する連結部１３を設けているが、ブラケット１０は平面部１１および１２が１つの平面に含まれる平面状の基体を備える部材であってもよい。もちろん、ブラケット１０は、樹脂等の金属板以外の材料を用いて形成するものであってもよい。ブラケット１０は、キャビネット３の背面３ｒに螺合して突出するネジ５の軸部が通過する円孔１５と、壁面４に螺合して突出するネジ６の軸部が通過する円孔１６と、壁面取付作業後にはキャビネット３の係止部３ｂに当接して係止する係止部１４を有していればよい。壁面４への取付作業中には、ブラケット１０の一部およびネジ６の頭部がキャビネット３の背後に隠れずに作業が容易で、壁面４への取付作業後には、ブラケット１０の全部およびネジ６の頭部がキャビネット３の背後に隠れて露出しない取り付け方法が実現できる。
【００５０】
なお、本発明のスピーカーシステム１は、キャビネット３の背面３ｒにブラケット１０を含んでいてもよい。スピーカーキャビネット３が備えるブラケット１０は、上記の実施例に限られない。上記の実施例の説明では省略しているが、スピーカーキャビネット３は、外部の空気と、キャビネット内部の音響容量を規定する空気と、が、螺合するネジ５により形成される孔を介して連通することがないようにするのが好ましい。
【００５１】
また、スピーカーシステム１のキャビネット３は、略直方体形状に限定されるものではなく、縦方向の配置と、横方向の配置が可能で、壁面４に密着させて取り付ける背面を有しているものであればよい。もちろん、ブラケット１０は、背面に設けられている場合に限定されず、略直方体形状である場合には、天面、底面、側面のいずれかの部分に設けられていればよい。背面、天面、底面、側面は、平面状に限らず、凹凸を有する曲面であってもよい。ブラケット１０を備えるスピーカーシステム１は、見栄えがよく、かつ、安定して壁面４に固定できる。
【００５２】
また、ブラケット１０が壁面４に取り付ける設置物は、本実施例のスピーカーシステム１に限らずに、他の壁面４に取り付ける対象物であってもよい。
【産業上の利用可能性】
【００５３】
本発明の壁面取付具は、スピーカーシステム以外にも、フック装置を備える壁掛け時計、あるいは、他にも絵画の額等の場合にも有用である。安定した固定が可能であり、見栄え良く壁面に背面を密着させて取り付けることが可能になる。
【符号の説明】
【００５４】
１            スピーカーシステム
２ａ、２ｂ    スピーカーユニットの取付孔
３            キャビネット
３ｒ          キャビネットの背面
４            壁面
５、６        ネジ
１０          ブラケット
１１、１２    平面部
１３          連結部
１４、３ｂ    係止部
１５、１６、１７    円孔
１８          ダルマ孔
【図１】
2017017235.tif 000003
【図２】
2017017235.tif 000004
【図３】
2017017235.tif 000005
【図４】
2017017235.tif 000006
【図５】
2017017235.tif 000007